(57)【要約】  【課題】画像データを記録する領域の消費を抑えるようにした画像閲覧装置を提供する。  【解決手段】画像閲覧装置１１は、デジタルスチルカメラ１００から取得した画像データファイルをメモリカード１２Ａに記憶するとき、デジタルスチルカメラ１００の記録画素数に起因するデータサイズを、第１の表示器１３の表示画素数に応じたデータサイズにリサイズ処理する。画像閲覧装置１１はさらに、リサイズ後の画像データが非圧縮の場合に、圧縮処理を施した上でメモリカード１２Ａに記憶する。  【選択図】図１
2005102079.tif 000002
【特許請求の範囲】
【請求項１】
画像を表示する画像表示手段と、
取得した画像データに含まれる主画像のデータを用いて、前記主画像を構成する画素数と前記表示手段による表示画素数との比に応じた画像データを生成する解像度変換手段と、
前記解像度変換手段によって生成された画像データを記録媒体に記録する記録手段と、
前記記録媒体に記録された画像データによる再生画像を表示するように前記画像表示手段を制御する制御手段とを備えることを特徴とする画像閲覧装置。
【請求項２】
請求項１に記載の画像閲覧装置において、
前記解像度変換手段によって生成された画像データを圧縮処理するデータ圧縮手段をさらに備え、
前記記録手段は、前記データ圧縮手段による圧縮処理後の画像データを前記記録媒体に記録することを特徴とする画像閲覧装置。
【請求項３】
請求項１または２に記載の画像閲覧装置において、
前記解像度変換手段は、前記表示手段による表示画素数の整数倍の画素数で構成される画像データを生成することを特徴とする画像閲覧装置。
【請求項４】
取得した画像データに含まれる主画像のデータを用いて、前記主画像を構成する画素数と画像を表示する表示手段による表示画素数との比に応じた画像データを生成する解像度変換手段と、
前記解像度変換手段によって生成された画像データを画像閲覧装置へ出力する画像データ出力手段とを備えることを特徴とする画像データ変換装置。
【請求項５】
請求項４に記載の画像データ変換装置において、
前記解像度変換手段によって生成された画像データを圧縮処理するデータ圧縮手段をさらに備え、
前記画像データ出力手段は、前記データ圧縮手段による圧縮処理後の画像データを前記画像閲覧装置へ出力することを特徴とする画像データ変換装置。
【請求項６】
請求項４または５に記載の画像データ変換装置と、
前記画像データ変換装置から出力される画像データを記録媒体に記録する記録手段、および前記記録媒体に記録された画像データによる再生画像を表示する表示手段を備える画像閲覧装置とを備えることを特徴とする画像閲覧システム。
【請求項７】
取得した画像データに含まれる主画像のデータを用いて、前記主画像を構成する画素数と画像を表示する表示手段による表示画素数との比に応じた画像データを生成する解像度変換処理と、
前記解像度変換処理によって生成された画像データを画像閲覧装置へ出力する画像データ出力処理とをコンピュータ装置で実行することを特徴とする画像データ変換プログラム。
【請求項８】
請求項７に記載の画像データ変換プログラムにおいて、
前記解像度変換処理によって生成された画像データを圧縮するデータ圧縮処理をさらに実行し、
前記画像データ出力処理は、前記データ圧縮処理後の画像データを前記画像閲覧装置へ出力することを特徴とする画像データ変換プログラム。
【発明の詳細な説明】
【技術分野】
【０００１】
本発明は、電子画像を閲覧する画像閲覧装置に関する。
【背景技術】
【０００２】
電子画像を閲覧する画像閲覧装置（アルバム装置）が知られている。特許文献１には、画像データベースに登録されている閲覧用の画像をネットワークを介して画像閲覧者の端末（パソコン）に提供する技術が開示されている。閲覧者は、提供された画像を端末のモニタ画面で閲覧する。
【０００３】
【特許文献１】特開平１１−２０３３５９号公報
【発明の開示】
【発明が解決しようとする課題】
【０００４】
一般に、画像閲覧者の端末に提供される元画像のデータサイズ（画素数）は、当該画像を撮影した電子カメラ等の記録画素数によって異なる。また、閲覧画像を表示するモニタの表示解像度（画素数）も当該モニタの仕様によって異なる。したがって、元画像データをそのまま画像閲覧者の端末へ取り込むと、端末側のデータ記録装置の記録領域を必要以上に消費するおそれが生じる。とくに、（元画像の画素数）＞（モニタの表示画素数）が成立する場合には問題となりやすい。
【課題を解決するための手段】
【０００５】
本発明による画像閲覧装置は、画像を表示する画像表示手段と、取得した画像データに含まれる主画像のデータを用いて、主画像を構成する画素数と表示手段による表示画素数との比に応じた画像データを生成する解像度変換手段と、解像度変換手段によって生成された画像データを記録媒体に記録する記録手段と、記録媒体に記録された画像データによる再生画像を表示するように画像表示手段を制御する制御手段とを備えることを特徴とする。
画像閲覧装置はさらに、解像度変換手段によって生成された画像データを圧縮処理するデータ圧縮手段を備えてもよい。この場合の記録手段は、データ圧縮手段による圧縮処理後の画像データを記録媒体に記録することもできる。
上記画像閲覧装置の解像度変換手段は、表示手段による表示画素数の整数倍の画素数で構成される画像データを生成することもできる。
本発明による画像データ変換装置は、取得した画像データに含まれる主画像のデータを用いて、主画像を構成する画素数と画像を表示する表示手段による表示画素数との比に応じた画像データを生成する解像度変換手段と、解像度変換手段によって生成された画像データを画像閲覧装置へ出力する画像データ出力手段とを備えることを特徴とする。
画像データ変換装置はさらに、解像度変換手段によって生成された画像データを圧縮処理するデータ圧縮手段を備えてもよい。この場合の画像データ出力手段は、データ圧縮手段による圧縮処理後の画像データを画像閲覧装置へ出力することもできる。
本発明による画像閲覧システムは、請求項４または５に記載の画像データ変換装置と、画像データ変換装置から出力される画像データを記録媒体に記録する記録手段、および記録媒体に記録された画像データによる再生画像を表示する表示手段を備える画像閲覧装置とを備えることを特徴とする。
本発明による画像データ変換プログラムは、取得した画像データに含まれる主画像のデータを用いて、主画像を構成する画素数と画像を表示する表示手段による表示画素数との比に応じた画像データを生成する解像度変換処理と、解像度変換処理によって生成された画像データを画像閲覧装置へ出力する画像データ出力処理とをコンピュータ装置で実行することを特徴とする。
画像データ変換プログラムはさらに、解像度変換処理によって生成された画像データを圧縮するデータ圧縮処理を実行してもよく、この場合の画像データ出力処理は、データ圧縮処理後の画像データを画像閲覧装置へ出力することもできる。
【発明の効果】
【０００６】
本発明によれば、閲覧表示のために取得した画像データを記録する領域の消費を抑えるようにした画像閲覧装置、画像データ変換装置、画像閲覧システム、および画像データ変換プログラムを提供できる。
【発明を実施するための最良の形態】
【０００７】
以下、図面を参照して本発明を実施するための最良の形態について説明する。
（第一の実施形態）
図１は、本発明の第一の実施形態による画像閲覧装置を示す図である。図１において、画像閲覧装置１１とデジタルスチルカメラ１００とがインターフェイス部材（ＵＳＢ＿Ｉ／Ｆ）によって接続されている。インターフェイス部材は、画像閲覧装置１１およびデジタルスチルカメラ１００間でデータ伝送を行う。第一の実施形態では、デジタルスチルカメラ１００が画像データを送信し、画像閲覧装置１１が画像データを受信する。
【０００８】
デジタルスチルカメラ１００には、撮影した画像データがカメラ内部の記録媒体（メモリカードなど）に画像データファイルとして記録されている。デジタルスチルカメラ１００は、撮影時に選択されている記録画質（画質モード）の設定内容に応じて、撮影した画像のデータを記録媒体に記録する。記録画質は、画像処理の有無および圧縮処理時の圧縮率の違いにより、たとえば、次の４段階に分けられている。
【０００９】
（１）画像データに画像処理を施さずに記録する「ＲＡＷ」
（２）所定の画像処理後の画像データを非圧縮のＲＧＢ−ＴＩＦＦ形式で記録する「ＴＩＦＦ」
（３）所定の画像処理後の画像データを圧縮率約１／５で記録する「ＦＩＮＥ」
（４）所定の画像処理後の画像データを圧縮率約１／１０で記録する「ＮＯＲＭＡＬ」
一般に上記（１）側が高画質であり、上記（４）側が低画質である。上記（３）、（４）における圧縮処理はＪＰＥＧ形式で行われる。なお、所定の画像処理とは、色温度調整処理などである。
【００１０】
画像データファイルに記録されている画像のデータサイズ（画素数）は、デジタルスチルカメラが備える撮像デバイス（不図示）を構成する画素数によって異なる。画素数が５００万画素クラスの場合は、たとえば、２５９２画素（水平方向）×１９４４画素（垂直方向）で構成される。この画素数のデータを上記（２）の記録画質で記録する場合には、画像データは以下のデータサイズとなる。すなわち、５００万画素のそれぞれにＲＧＢ各色のデータを対応させるために×３倍し、各画素を２５６階調で表すために各画素に×１バイト分のデータを対応させる結果、１画像分の画像データファイルは５００万（画素）×３（色）×１（バイト）＝１５ＭＢ（メガバイト）のデータサイズを有する。上記（４）の記録画質で記録する場合でも、１５／１０＝１．５ＭＢのデータサイズとなる。なお、画素数および階調数などは一例を示したものである。
【００１１】
デジタルスチルカメラ１００は、画像閲覧装置１１から画像データの送信要求を受けると、インターフェイス部材を介して画像データファイルを画像閲覧装置１１へ送信する。一方、画像閲覧装置１１は、デジタルスチルカメラ１００からインターフェイス部材を介して送信される画像データファイルを取得し、取得した画像データファイルを記憶部１２の所定の記憶エリアに記憶する。図１の例では、メモリカード１２Ａに記憶する。
【００１２】
画像閲覧装置１１は、記憶部１２と、第１の表示器１３と、制御処理部１４と、第２の表示器１５と、操作部材１６とを有する。第１の表示器１３は、液晶モニタなどによって構成され、画像データによる再生画像を表示する。第１の表示器１３の表示画素数は、たとえば、７９４画素（水平方向）×５６０画素（垂直方向）＝約４５万画素である。第１の表示器１３の有効表示範囲をＡ５サイズ（２１０mm×１４８mm）とすれば、表示解像度は９６dpi(dot/inch)に相当する。
【００１３】
制御処理部１４は、ＣＰＵを含む信号処理回路によって構成され、上述した画像データファイルを取得して記憶部１２へ記憶するための画像データ転送プログラムを実行する。制御処理部１４はさらに、メモリカード１２Ａに記憶されている画像データファイルを展開して再生表示用のデータを生成する処理や、画像閲覧装置１１内各部の制御処理なども行う。
【００１４】
第２の表示器１５は、液晶表示器などによって構成される。第２の表示器１５には、第１の表示器１３に再生表示される画像よりも表示の大きさおよびデータサイズが小さい縮小画像が、複数コマ分並べて表示される。操作部材１６には、矢印スイッチなどのポインティングデバイスと、選択操作スイッチとが含まれる。画像閲覧装置１１の各スイッチを総称して操作部材１６と呼ぶ。
【００１５】
図２は、画像閲覧装置１１の外観図である。第２の表示器１５に、複数コマの縮小画像が再生表示されている。使用者は、矢印スイッチ１６Ａおよび１６Ｂを操作することにより、縮小画像上のカーソル１５Ｃを左右方向に移動させる。使用者が選択操作スイッチ１６Ｃを押下操作すると、その時点でカーソル１５Ｃによって示されている縮小画像に対応する再生画像が、第１の表示器１３に再生表示される。
【００１６】
第一の実施形態による画像閲覧装置１１は、デジタルスチルカメラ１００から取得した画像データファイルをメモリカード１２Ａに記憶するとき、デジタルスチルカメラ１００の記録画素数に起因する画像のデータサイズを、第１の表示器１３の表示画素数に応じたデータサイズに変換するとともに、例えばＪＰＥＧ形式で圧縮した（フォーマット変換した）データファイルとして記憶する。なお、画像データファイルに主画像データと主画像データに比べてデータサイズが小さい副画像データとが含まれている場合、データサイズ変換の対象にするのは主画像データの方である。
【００１７】
図３は、制御処理部１４によって実行される画像データ転送プログラムによる処理の流れを説明するフローチャートである。図３のステップ１１において、制御処理部１４は、デジタルスチルカメラ１００からインターフェイス部材を介して画像データファイル（転送元画像と呼ぶ）を読み込んでステップＳ１２へ進む。
【００１８】
ステップＳ１２において、制御処理部１４は、取得した転送元画像の画素数（縦×横）を確認してステップＳ１３へ進む。水平方向が「横」に、垂直方向が「縦」に、それぞれ対応する。ステップＳ１３において、制御処理部１４は、第１の表示器１３の表示画素数（水平方向（横）×垂直方向（縦））を確認してステップＳ１４へ進む。
【００１９】
ステップＳ１４において、制御処理部１４は、元画像の縦・横画素数がそれぞれ表示器の縦・横表示画素数より大きいか否かを判定する。制御処理部１４は、（元画像の縦画素数）＞（縦の表示画素数）および（元画像の横画素数）＞（横の表示画素数）の少なくとも一方が成立する場合にステップＳ１４を肯定判定してステップＳ１５へ進み、いずれも成立しない場合にはステップＳ１４を否定判定し、ステップＳ１７へ進む。
【００２０】
ステップＳ１５において、制御処理部１４は、水平方向（横）の画素数および垂直方向（縦）の画素数のそれぞれについて、元画像の画素数と表示器の表示画素数との比率を計算することにより、縦横それぞれの変換比率を決定してステップＳ１６へ進む。
【００２１】
元画像が水平方向に２５９２画素を有し、第１の表示器１３が水平方向に７９４画素を表示する場合、水平方向の画素比率は２５９２／７９４＝３．２６４…である。一方垂直方向の画素比率は、元画像が垂直方向に１９４４画素を有し、第１の表示器１３が垂直方向に５６０画素を表示する場合に１９４４／５６０＝３．４７１…である。制御処理部１４は、画素比率が大きい方を採用（この場合は３．４７１）して変換比率とする。
【００２２】
ステップＳ１６において、制御処理部１４は、転送元画像に対して解像度変換を行ってステップＳ１７へ進む。解像度変換は以下のように行う。元画像の水平方向のデータを２５９２／３．４７１＝７４７画素で表すとともに、元画像の垂直方向のデータを１９４４／３．４７１＝５６０画素で表すようにリサイズ処理を行う。これにより、上記（２）の記録画質で記録する場合のデータサイズは、７４７×５６０（画素）×３（色）×１（バイト）＝１．２５５ＭＢとなり、リサイズ処理前のデータサイズ（１５ＭＢ）の約１／１２になる。
【００２３】
ステップＳ１７において、制御処理部１４は、元画像のデータが非圧縮か否かを判定する。制御処理部１４は、元画像のデータがＪＰＥＧ圧縮されていない場合にステップＳ１７を肯定判定してステップＳ１８へ進み、元画像のデータがＪＰＥＧ圧縮されている場合にステップＳ１７を否定判定し、ステップＳ１９へ進む。
【００２４】
ステップＳ１８において、制御処理部１４は、非圧縮の画像データに対してＪＰＥＧ形式で圧縮する処理（フォーマット変換処理）を行い、ステップＳ１９へ進む。上記（４）の記録画質が選択されている場合には、圧縮処理前のデータサイズが１．２５５ＭＢである画像データが、圧縮処理によって約１／１０の１２５．５ＫＢ（キロバイト）に圧縮される。
【００２５】
ステップＳ１９において、制御処理部１４は、画像データファイルを画像閲覧用のアルバムデータとして記憶部１２へ出力し、図３による転送処理を終了する。記憶部１２へ送られた画像データファイルは、メモリカード１２Ａに格納される。制御処理部１４は、メモリカード１２Ａに記憶されている画像データファイルを展開して第２の表示器１５に表示するための縮小画像を生成し、第１の表示器１３に表示するための再生画像を生成する。
【００２６】
以上説明した第一の実施形態によれば、次の作用効果が得られる。
（１）画像閲覧装置１１がデジタルスチルカメラ１００から取得した画像データファイルをメモリカード１２Ａに記憶するとき、デジタルスチルカメラ１００の記録画素数に起因するデータサイズ（上記例では１５ＭＢ）を、第１の表示器１３の表示画素数に応じたデータサイズ（上記例では１．２５５ＭＢ）に解像度変換（リサイズ処理）するようにした。したがって、解像度変換をしないで画像データファイルを記憶する場合に比べて、メモリカード１２Ａに多数の画像データを記憶することができるので、大容量のメモリカードや大容量のデータストレージ装置を画像閲覧装置１１に備えなくてもよい。これにより、画像閲覧装置１１のコストを低減できる。なお、解像度変換によって削減されるデータ量は、第１の表示器１３に表示できない過剰な画素情報に対応するので、解像度変換によって第１の表示器１３に再生表示される画像品質が劣化することはない。
【００２７】
（２）解像度変換後の画像データが非圧縮の場合（上記例ではデータサイズが１．２５５ＭＢ）に、圧縮処理を施した上で（上記例では、データサイズが１２５．５ＫＢ）メモリカード１２Ａに記憶するようにしたので、非圧縮のままで画像データファイルを記憶する場合に比べて、メモリカード１２Ａに多数の画像データを記憶することができる。この結果、上記（１）と同様に画像閲覧装置１１のコストを低減することができる。１画像のデータサイズが１２５．５ＫＢであれば、記憶容量が６４ＭＢのメモリカードに約５００画像分のデータを記憶できる。
【００２８】
（３）解像度変換（リサイズ）処理および圧縮（フォーマット変換）処理は、画像閲覧装置１１がデジタルスチルカメラ１００から取得した画像データファイルに対して行うので、デジタルスチルカメラ１００に格納されている画像データファイルには処理を施す必要がない。
【００２９】
（４）解像度変換処理における変換比率の決定は、転送プログラムによって自動的に行うようにしたので、使用者にとって使いやすい画像閲覧装置１１を提供できる。
【００３０】
第一の実施形態では、第一の表示器１３に元画像データによる再生画像を等倍表示する例を説明した。第一の表示器１３で表示される再生画像を２倍に拡大する場合には、変換比率を以下のように設定する。図４は、この場合の画像データ転送プログラムによる処理の流れを説明するフローチャートである。図４において、図３と同一の処理には同一のステップ番号を付して説明を省略し、図３と異なるステップＳ１３Ａ、Ｓ１４ＡおよびＳ１５Ａを中心に説明する。
【００３１】
図４のステップ１３Ａにおいて、制御処理部１４は、第１の表示器１３の表示画素数（水平方向（横）×垂直方向（縦））×拡大比率を確認してステップＳ１４Ａへ進む。
【００３２】
ステップＳ１４Ａにおいて、制御処理部１４は、元画像の縦・横画素数がそれぞれ表示器の縦・横表示画素数×拡大比率より大きいか否かを判定する。制御処理部１４は、（元画像の縦の画素数）＞｛（縦の表示画素数）×（拡大比率）｝および（元画像の横の画素数）＞｛（横の表示画素数）×（拡大比率）｝の少なくとも一方が成立する場合にステップＳ１４Ａを肯定判定してステップＳ１５Ａへ進み、いずれも成立しない場合にはステップＳ１４Ａを否定判定し、ステップＳ１７へ進む。
【００３３】
ステップＳ１５Ａにおいて、制御処理部１４は、水平方向（横）の画素数および垂直方向（縦）の画素数のそれぞれについて、元画像の画素数と表示器の｛（表示画素数）×（拡大比率）｝との比率を計算することにより、縦横それぞれの変換比率を決定してステップＳ１６へ進む。
【００３４】
元画像が水平方向に２５９２画素を有し、第１の表示器１３が水平方向に７９４画素を表示可能であり、かつ、再生画像を２倍に拡大表示する場合、水平方向の画素比率は２５９２／（７９４×２）＝１．６３２…である。一方垂直方向の画素比率は、元画像が垂直方向に１９４４画素を有し、第１の表示器１３が垂直方向に５６０画素を表示可能であり、かつ、再生画像を２倍に拡大表示する場合、１９４４／（５６０×２）＝１．７３５…である。制御処理部１４は、画素比率が大きい方を採用（この場合は１．７３５）して変換比率とする。
【００３５】
以上の処理により、画像閲覧装置１１がデジタルスチルカメラ１００から取得した画像データファイルをメモリカード１２Ａに記憶するとき、第１の表示器１３に再生画像を２倍に拡大して表示するために最低限必要なデータサイズに解像度変換（リサイズ処理）した上で当該画像データファイルを記憶することができる。
【００３６】
なお、再生画像をさらに拡大表示する場合には、拡大比率に応じて変換比率を変えればよい。このとき、拡大比率を整数倍にすると拡大表示のための処理を簡単にすることができる。
【００３７】
（第二の実施形態）
上述した画像データ転送プログラムをＰＣ（パーソナルコンピュータ）で実行させてもよい。図５は、第二の実施形態による画像閲覧システムの構成図である。図５において、ＰＣ２００と画像閲覧装置１１Ａとがインターフェイス部材（ＵＳＢ＿Ｉ／Ｆ）によって接続されている。画像データ転送プログラムは、ＰＣ２００にインストールした上で実行される。プログラムのインストールは、プログラムが格納された記録媒体をＰＣ２００の読取り装置にセットして行ってもよいし、ネットワークなどの電気通信回線を経由する方法で行ってもよい。
【００３８】
デジタルスチルカメラ（不図示）で撮影された元画像データは、ＰＣ２００内部の記憶装置に画像データファイルとしてあらかじめ記憶されている。ＰＣ２００は、この画像データファイルに対して解像度変換および圧縮処理を施した上で画像閲覧装置１１Ａへ転送する。なお、元画像データをＰＣ２００内部の記憶装置に記憶させる代わりに、元画像データが記録されているメモリカードなどをＰＣ２００のカード読み取り部にセットするようにしてもよい。
【００３９】
第二の実施形態では、ＰＣ２００が画像閲覧装置１１Ａから画像データの送信要求を受けると、インターフェイス部材を介して画像データファイルを画像閲覧装置１１へ送信する。このとき、元画像データのデータサイズを第１の表示器１３の表示画素数に応じたデータサイズに解像度変換（リサイズ処理）し、非圧縮のデータには解像度変換後の画像データに圧縮処理（フォーマット変換）を施した上で画像閲覧装置１１Ａへ送信する。解像度変換処理および圧縮処理は第一の実施形態と同様である。画像閲覧装置１１Ａは、このようにＰＣ２００から取得した画像データファイルをメモリカード１２Ａに記憶する。
【００４０】
以上説明した第二の実施形態によれば、第一の実施形態と同様に、画像閲覧装置１１Ａのメモリカード１２Ａに多数の画像データを記憶することができるから、大容量のメモリカードやデータストレージ装置が不要になり、画像閲覧装置１１Ａのコストを低減できる。
【００４１】
また、元画像データに対する解像度変換処理および圧縮処理を行う画像データ転送プログラムをＰＣ２００に実行させるようにしたので、画像閲覧装置１１（図１）に比べて画像閲覧装置１１Ａ（とくに、画像処理部１４Ａ）の構成を簡単にできるから、画像閲覧システムを安価に構成することができる。
【００４２】
（第三の実施形態）
元画像データをＷｅｂサーバ上に格納しておいてもよい。図６は、第三の実施形態による画像閲覧システムの構成図である。図６において、ＰＣ２００Ａと画像閲覧装置１１Ａとがインターフェイス部材（ＵＳＢ＿Ｉ／Ｆ）によって接続されている。ＰＣ２００Ａはさらに、ネットワークを介してＷｅｂサーバ３００と接続されている。
【００４３】
画像データ転送プログラムは、ＰＣ２００Ａにインストールした上で実行される。プログラムのインストールは、プログラムが格納された記録媒体をＰＣ２００Ａの読取り装置にセットして行ってもよいし、ネットワークを経由する方法で行ってもよい。
【００４４】
元画像データは、Ｗｅｂサーバ３００に画像データファイルとして格納されている。ＰＣ２００Ａは、Ｗｅｂサーバ３００から画像データファイルを取得し、取得した画像データファイルに対して解像度変換および圧縮処理を施した上で画像閲覧装置１１Ａへ転送する。
【００４５】
以上説明した第三の実施形態によれば、第一および第二の実施形態と同様に、画像閲覧装置１１Ａのメモリカード１２Ａに多数の画像データを記憶することができるから、大容量のメモリカードやデータストレージ装置が不要になり、画像閲覧装置１１Ａのコストを低減することが可能になる。
【００４６】
以上の説明では、上記（４）の記録画質（１／１０圧縮）で画像データをメモリカード１２Ａに記憶するようにした。圧縮比率は上記例に限らず、メモリカード１２Ａなどの記憶容量に応じて適宜変更するようにしてもよい。
【００４７】
解像度変換および圧縮処理を施した画像データファイルをメモリカード１２Ａに記憶するとき、解像度変換した比率や、圧縮処理前のフォーマット形式などを示す情報を画像データとともにメモリカード１２Ａに記憶するとよい。
【００４８】
画像閲覧装置１１（１１Ａ）がデジタルスチルカメラ１００で撮影された画像データを取得する例を説明したが、スキャナ装置で読み取った画像データを取得するようにしてもよい。
【００４９】
解像度変換の例として、主画像の画素数と表示装置の表示画素数との比に基づいて解像度変換を行うように説明したが、以下の比に基づいて解像度変換を行ってもよい。たとえば、主画像の色数と表示装置の表示色数との比、主画像の階調数と表示装置の表示階調数との比などである。
【００５０】
また、主画像が動画の場合には、主画像のフレームレートと表示装置の表示フレームレートとの比に基づいて解像度変換を行ってもよい。
【００５１】
特許請求の範囲における各構成要素と、発明を実施するための最良の形態における各構成要素との対応について説明する。画像表示手段は、たとえば、第１の表示器１３によって構成される。解像度変換手段、記録手段、制御手段、データ圧縮手段は、たとえば、制御処理部１４によって構成される。画像データ変換装置、解像度変換手段およびデータ圧縮手段は、ＰＣ２００（２００Ａ）によって構成される。なお、本発明の特徴的な機能を損なわない限り、各構成要素は上記構成に限定されるものではない。
【図面の簡単な説明】
【００５２】
【図１】本発明の第一の実施形態による画像閲覧装置を示す図である。
【図２】画像閲覧装置の外観図である。
【図３】画像データ転送プログラムによる処理の流れを説明するフローチャートである。
【図４】画像データ転送プログラムによる処理の流れを説明するフローチャートである。
【図５】第二の実施形態による画像閲覧システムの構成図である。
【図６】第三の実施形態による画像閲覧システムの構成図である。
【符号の説明】
【００５３】
１１（１１Ａ）…画像閲覧装置
１２…記憶部
１２Ａ…メモリカード
１３…第１の表示器
１４（１４Ａ）…制御処理部
１５…第２の表示器
１６…操作部材
１００…デジタルスチルカメラ
２００（２００Ａ）…ＰＣ
３００…Ｗｅｂサーバ
【図１】
2005102079.tif 000003
【図２】
2005102079.tif 000004
【図３】
2005102079.tif 000005
【図４】
2005102079.tif 000006
【図５】
2005102079.tif 000007
【図６】
2005102079.tif 000008